(57)【要約】【課題】  複数の異なる給電入力方式を使用可能なＬＥＤ灯管を提供する。【解決手段】  複数の異なる給電入力方式を使用可能なＬＥＤ灯管であって、前記ＬＥＤ灯管は、両端に２つの導電ピン群をそれぞれ有し、各前記導電ピン群が２本のピンを含み、前記ＬＥＤ灯管内には、ＬＥＤユニット、変換モジュール及び昇降モジュールが設けられ、前記変換モジュールは電圧変換装置を２つ含み、各前記電圧変換装置にはそれぞれ前記導電ピン群が接続され、各前記ピンのうち２つのピンが、前記電圧変換装置のいずれかとの導通を実現するよう外部電源を受け付け、前記昇降モジュールにより電流変換して前記ＬＥＤユニットに伝達することで、複数の異なる給電入力方式を使用可能とされている。【選択図】  図１
2019016583.tif 000002
【特許請求の範囲】
【請求項１】
両端に２つの導電ピン群をそれぞれ有し、各前記導電ピン群が２本のピンを含む複数の異なる給電入力方式を使用可能なＬＥＤ灯管であって、
前記ＬＥＤ灯管内には、ＬＥＤユニット、変換モジュール及び昇降モジュールが設けられ、前記変換モジュールは電圧変換装置を２つ含み、各前記電圧変換装置にはそれぞれ前記導電ピン群が接続され、各前記ピンのうち２つのピンが、前記電圧変換装置のいずれかとの導通を実現するよう外部電源を受け付け、前記昇降モジュールにより電流変換して前記ＬＥＤユニットに伝達することで、複数の異なる給電入力方式を使用可能とされていることを特徴とするＬＥＤ灯管。
【請求項２】
前記電圧変換装置は、整流器であることを特徴とする請求項１記載の複数の異なる給電入力方式を使用可能なＬＥＤ灯管。
【請求項３】
前記導電ピン群、前記変換モジュール、前記昇降モジュール及び前記ＬＥＤユニットが取り付けられる基盤と、前記基盤に取り付けられ、前記ＬＥＤユニットを遮蔽する灯管カバーと、をさらに含むことを特徴とする請求項１記載の複数の異なる給電入力方式を使用可能なＬＥＤ灯管。
【請求項４】
前記ＬＥＤ灯管は、Ｔ型灯管であることを特徴とする請求項３記載の複数の異なる給電入力方式を使用可能なＬＥＤ灯管。
【請求項５】
前記Ｔ型灯管は、Ｔ８、Ｔ１０又はＴ１２であることを特徴とする請求項４記載の複数の異なる給電入力方式を使用可能なＬＥＤ灯管。
【請求項６】
前記整流器は、ブリッジ整流器であることを特徴とする請求項２記載の複数の異なる給電入力方式を使用可能なＬＥＤ灯管。
【請求項７】
前記外部電源は、商用交流電圧であることを特徴とする請求項１記載の複数の異なる給電入力方式を使用可能なＬＥＤ灯管。
【発明の詳細な説明】
【技術分野】
【０００１】
本発明は灯管の一種であり、より詳細には複数の異なる給電入力方式を使用可能なＬＥＤ灯管である。
【背景技術】
【０００２】
ＬＥＤ技術が発展すると共に、その応用範囲も次第に広くなっており、従来使われていた蛍光灯（Ｆｌｕｏｒｅｓｃｅｎｔ  ｌａｍｐ）は使用寿命が短く、しかも破損すると内部の水銀が環境汚染の原因にもなり、そのため、ＬＥＤ技術を利用した灯管がより幅広い用途に使用されるようになっている。
【０００３】
市販のＬＥＤ灯管は、それそれのソケットに適合させる必要があるので、これまでのＬＥＤ灯管は単一の形式に標準化できないという状態であった。現在一般的に使用されるＬＥＤ灯管は、一端給電入力方式と両端給電入力方式とがあり、両端給電入力方式のソケットを採用する場合は、両端給電入力方式のＬＥＤ灯管を購入する必要がある。このため、ＬＥＤ灯管の寿命が限界になると、新しい灯管がソケットに適合しないという問題が発生し得る。したがって、このような技術分野における公知の課題は、当業者が検討しなければならない。
【０００４】
従来のＬＥＤ灯管を開示する文献として下記の特許文献１がある。特許文献１に開示のＬＥＤ照明は、帯状の透明基板上に複数個のＬＥＤチップを並べて接続し、両端にＬＥＤチップの電極引き出し線を設けた発光ストリップと、ＬＥＤチップの発光を制御する駆動器と、駆動器に電力を供給するために外部電源に接続されるソケットを備える。そして、プリント基板に開口又は切り欠き部を形成するとともに、開口又は切り欠き部に近接してランドを形成し、プリント基板の一端に連結端部を設け、プリント基板の開口又は切り欠き部に発光ストリップを配置し、ランドに電極引き出し線を固着し、ソケットに連結端部が嵌合する嵌合部を設け、プリント基板をソケットに着脱可能に装着している。
【０００５】
特許文献１に開示のＬＥＤ照明では、開口又は切り欠き部に組み付けた発光ストリップを点灯させることにより、発光ストリップの光が開口の前後又は切り欠き部の前後及び側方に照射される。
【０００６】
上記特許文献１に開示の技術では、発光ストリップの電極引き出し線をプリント基板のランドに固着することができ、発光ストリップをプリント基板に組み付けるので、細い金属ワイヤと電極引き出し線を溶接する面倒な作業工程を省略でき、製造コストの大幅な低減が可能となる。
【０００７】
しかしながら、特許文献１に開示のＬＥＤ照明を様々な形態のソケットに取り付けることはできない。
【先行技術文献】
【特許文献】
【０００８】
【特許文献１】特開２０１７−１３９２０５号公報
【発明の概要】
【発明が解決しようとする課題】
【０００９】
本発明は上記の問題点に鑑みてなされたものであり、その目的は、現在のＬＥＤ灯管が単一の方式に標準化されていないという問題を効果的に解決するＬＥＤ灯管を提供することである。
【課題を解決するための手段】
【００１０】
本発明は、現在のＬＥＤ灯管が単一の方式に標準化されていないという問題を効果的に解決するＬＥＤ灯管を提供するものであって、そのＬＥＤ灯管は、異なる給電入力方式で使用可能で、ＬＥＤ灯管の両端で２組の電圧変換装置（ブリッジ式整流器）にそれぞれ導電ピンが接続され、前記導電ピン群は２以上の導電ピンで構成され、各前記ピンのうち２つのピンが、前記電圧変換装置のいずれかとの導通を実現するよう外部電源（商用交流電圧）を受け付け、前記昇降モジュールにより電流変換してＬＥＤユニットに伝達される。これにより、ＬＥＤ灯管が一端給電入力方式及び両端給電入力方式のいずれにも適合可能となるため、現在のＬＥＤ灯管が標準化できないという問題を効果的に解決することができる。
【００１１】
本発明は、両端に２つの導電ピン群をそれぞれ有し、各導電ピン群が２本のピンを含む複数の異なる給電入力方式を使用可能なＬＥＤ灯管であって、当該ＬＥＤ灯管内には、ＬＥＤユニット、変換モジュール及び昇降モジュールが設けられ、変換モジュールは電圧変換装置を２つ含み、各電圧変換装置にはそれぞれ導電ピン群が接続され、各ピンのうち２つのピンが、電圧変換装置のいずれかとの導通を実現するよう外部電源を受け付け、昇降モジュールにより電流変換して前記ＬＥＤユニットに伝達することで、複数の異なる給電入力方式を使用するＬＥＤ灯管を提供する。
【００１２】
いくつかの実施例では、前記ＬＥＤ灯管は、更に、前記導電ピン群、前記変換モジュール、前記昇降モジュール及び前記ＬＥＤユニットが取り付けられる基盤と、前記基盤に取り付けられ、前記ＬＥＤユニットを遮蔽する灯管カバーとを含む。
【００１３】
いくつかの実施例では、前記ＬＥＤ灯管はＴ型灯管である。
【００１４】
いくつかの実施例では、前記Ｔ型灯管は、Ｔ８、Ｔ１０又はＴ１２である。
【００１５】
いくつかの実施例では、前記電圧変換装置は整流器である。
【００１６】
いくつかの実施例では、前記整流器はブリッジ式整流器である。
【００１７】
いくつかの実施例では、前記外部電源は商用交流電圧である。
【発明の効果】
【００１８】
本発明によれば、ＬＥＤ灯管が一端給電入力方式及び両端給電入力方式のいずれにも適合可能となるため、現在のＬＥＤ灯管が標準化できないという問題を効果的に解決することができる。
【００１９】
同時に、本発明によれば、従来の蛍光灯管からＬＥＤ灯管（Ｔ８、Ｔ１０又はＴ１２）を交換する場合に、より利便性が向上する。従来のインダクタンス起動灯管の場合、グロースターターを取り外して灯管をＬＥＤ灯管に交換するだけでよいし、電子的整流器起動灯管の場合、本灯管に直接交換するだけでよい。
【図面の簡単な説明】
【００２０】
【図１】本発明のＬＥＤ灯管の立体図である。
【図２】本発明のＬＥＤ灯管の使用状態を示す図である。
【図３】本発明のＬＥＤ灯管の別の使用状態を示す概略図である。
【図４】本発明のＬＥＤ灯管の回路ブロック図である。
【図５】図２の回路ブロックの使用状態を示す概略ブロック図である。
【図６】図３の回路ブロックの使用状態の示す概略ブロック図である。
【発明を実施するための形態】
【００２１】
以下の実施形態において、本発明の詳細及び利点を詳細に説明する。以下の実施形態は、当業者が本発明の技術的特徴を理解することができ、本発明を実行できるための十分な開示であり、本明細書に開示した内容、特許請求の範囲及び図面によれば、あらゆる当業者が、本発明の係る目的及び利点を容易に理解することができる。
【００２２】
図１乃至図６を参照し、本発明は複数の異なる給電入力方式を使用可能なＬＥＤ灯管の一種であり、一端給電入力方式のみならず、両端給電入力方式にも適合可能であるため、ＬＥＤ灯管が単一の方式に標準化されないという従来の課題を解決することができる。
【００２３】
以下において、添付の図面と併せて実施形態を詳述するが、これらの実施形態は様々な形態を含むものであって、本発明の範囲を限定するものとして解釈されるべきではない。これらの実施例を開示することにより本発明を明確に開示し、当業者は、これらの実施形態の開示により本発明の範囲を明確に理解することができる。
【００２４】
図１乃至図６を参照して、ＬＥＤ灯管１は、基盤１４と灯管カバー１５とを含み、前記基盤１４には、導電ピン群１０と、変換モジュール１１と、昇降モジュール１２と、ＬＥＤユニット１３とが取り付けられ、灯管カバー１５は、基盤１４に取り付けられ、ＬＥＤユニット１３を遮蔽するものである。本発明のＬＥＤ灯管１は、主にＴ型灯管（Ｔ８、Ｔ１０又はＴ１２）である。
【００２５】
図１乃至図６を参照し、例えば、一端にある二つのピン１００から電流を流す場合（矢印方向は電流伝送方向）では、ＬＥＤ灯管１は外部灯管ソケットに装着する時に、この外部灯管ソケットは片方だけ導電機能を有し、その片方だけが外部電流（商用交流電圧）に接続される。
【００２６】
図１乃至図６を参照し、電圧変換装置１１０（ブリッジ式整流器）が一端の導電ピン群１０（二本の導電ピン１００）に接続され、昇降モジュール１２が変換モジュール１１に電気的に接続されて交流を直流に変換し、ＬＥＤユニット１３は昇降モジュール１２に電気的に接続され直流が伝送される。つまり、二本の導電ピン１００を外部電源に接続することで、電流が確実にいずれか１つの電圧変換装置１１０に通過し、昇降モジュール１２が電流を変換し、ＬＥＤユニット１３まで伝送される。
【００２７】
図１乃至図６を参照し、このような形で、いずれの一端から交流が流入する場合でも当該交流がブリッジ式整流によって確実に整流フィルターされることを確保でき、昇降モジュール１２及びＬＥＤユニット１３に直流が給電される。
【００２８】
図１乃至図６に示されるように、本発明は、複数の異なる給電入力方式を使用可能なＬＥＤ灯管の一種であって、前記ＬＥＤ灯管１が一つの外部電源（商用交流電圧）に接続され、ＬＥＤ灯管１は、２つの導電ピン群１０と、変換モジュール１１と、昇降モジュール１２と、ＬＥＤユニット１３とを含む。
【００２９】
各導電ピン群１０は、図１乃至図６に示されるように、２本のピン１００からなり、変換モジュール１１は、２つの電圧変換装置１１０（整流器のブリッジ式整流器）を含み、各電圧変換装置１１０にはそれぞれに導電ピン群１０に接続される。
【００３０】
昇降モジュール１２は、図１乃至図６に示されるように、変換モジュール１１に電気的に接続されて交流を直流に変換し、ＬＥＤユニット１３は昇降モジュール１２に電気的に接続されて直流を受け付ける。各ピン１００の中の２つのピン１００が一つの電圧変換装置１１０と導通を実現するように外部電源に接続されることで、昇降モジュール１２によって電流が変換されてＬＥＤユニット１３へ伝送される。
【００３１】
図１乃至図６を参照して、本発明によれば、従来の蛍光灯管をＬＥＤ灯管（Ｔ８、Ｔ１０又はＴ１２）により簡便に交換することができる。従来のインダクタンス起動灯管の場合、グロースターターを取り外して灯管をＬＥＤ灯管に交換するだけでよいし、電子的整流器起動灯管の場合、本灯管に直接交換するだけでよい。
【００３２】
図１乃至図６に示されるように、例えば、両端にある各一のピン１００から電流を供給する場合（矢印方向は電流伝送方向）、ＬＥＤ灯管１が外部Ｔ管ソケットに装着されるときに、両端の各一つのピン１００が外部灯管ソケットの外部電源（商用交流電圧）に接続される。
【００３３】
図１乃至図６を参照して、各電圧変換装置１１０（ブリッジ式整流器）がそれぞれ両端の導電ピン群１０の各一つのピン１００に接続され、昇降モジュール１２は変換モジュール１１と電気的に接続されて交流が直流に変換される。
【００３４】
図１乃至図６を参照して、ＬＥＤユニット１３は、昇降モジュール１２と電気的に接続されて直流が電送され、両端の導電ピン群１の各一つのピン１００によって外部電源から受電してその中の一つの電圧変換装置１１０に確実に通過させ、昇降モジュール１２によって電流が変換されてＬＥＤユニット１３に伝送される。
【００３５】
図１乃至図６に示されるように、このような形でいずれの二つのピンに接続される場合でも交流がブリッジ式整流によって整流フィルターされることを確実に確保することができ、昇降モジュール１２及びＬＥＤユニット１３に直流が給電される。
【００３６】
本発明は、複数の異なる給電入力方式を使用可能なＬＥＤ灯管であって、ＬＥＤ灯管を標準化できない従来の問題を効率的に解決するものであるため、一端給電入力方式に適合できるだけではなく、ＬＥＤ灯管を標準化できない従来の問題を効率的に解決することができる。
【００３７】
さらに、従来の蛍光灯管をＬＥＤ灯管（Ｔ８、Ｔ１０又はＴ１２）に交換する作業がより簡便になる。従来のインダクタンス起動灯管の場合、グロースターターを取り外し、灯管をＬＥＤ灯管に交換するだけでよいし、電子的整流器起動灯管の場合、本灯管に直接交換するだけでよい。
【００３８】
以上の次第で、例示的な実施形態及び添付図面を参照することによって本発明の特徴及び利点並びにその方法が理解された。ただし、本発明は様々な形式で実施されるものであるため、上述の実施形態に限定して解釈されるべきものではない。
【符号の説明】
【００３９】
１    ＬＥＤ灯管
１０  導電ピン群
１１  変換モジュール
１２  昇降モジュール
１３  ＬＥＤユニット
１４  基盤
１５  灯管カバー
１００  導電ピン
１１０  電圧変換装置
【図１】
2019016583.tif 000003
【図２】
2019016583.tif 000004
【図３】
2019016583.tif 000005
【図４】
2019016583.tif 000006
【図５】
2019016583.tif 000007
【図６】
2019016583.tif 000008